(57)【要約】      （修正有）【課題】人工歯根、入れ歯、植入れネジおよび充填物を含む、オールジルコニウム一体型歯科インプラント入れ歯のロック構造を提供する。【解決手段】人工歯根１０、入れ歯２０、植入れネジ３０および充填物４０を含み、人工歯根は予め口内の歯茎Ａ内に埋設され、かつ人工歯根の頂端は植入れ面１１および植入れ面１１の中央突起により植入れ部１２が形成され、植入れ面および植入れ部は歯茎の表面に露出し、かつ植入れ部の上表面から下へ植入れネジ孔１３を設置し、入れ歯は歯の色でオールジルコニウム材質の入れ歯材料が５軸加工機により一体成形加工され、さらに５軸加工機により自動的に入れ歯の咬合面および底面を貫通して植入れ穿孔２１が形成され、植入れ穿孔の内径は植入れ部の突起の高さに対応して位置規制環部２１１を設置し、位置規制環部の下方に嵌合部２１２が形成され植入れ部を嵌合被覆し、かつ位置規制環部で植入れ部の上表面を支える。【選択図】図１
0003234489.tif 000002
【実用新案登録請求の範囲】
【請求項１】
人工歯根、入れ歯、植入れネジおよび充填物を含む、オールジルコニウム一体型歯科インプラント入れ歯のロック構造であって、
当該人工歯根は予め口内の歯茎内に埋設され、かつ当該人工歯根の頂端には植入れ面および当該植入れ面の中央突起により植入れ部が形成され、当該植入れ面および当該植入れ部は歯茎の表面に露出し、かつ当該植入れ部の上表面から下へ植入れネジ孔が設置され、当該入れ歯は歯の色でオールジルコニウム材質の入れ歯材料が５軸加工機により一体成形加工され、さらに５軸加工機により自動的に当該入れ歯の咬合面および底面を貫通して植入れ穿孔が形成され、当該植入れ穿孔の内径が当該植入れ部の突起の高さに対応するように位置規制環部が設置され、当該位置規制環部の下方に当該植入れ部を嵌合して被覆する嵌合部が形成され、かつ当該位置規制環部で当該植入れ部の上表面を支え、当該入れ歯の底面に平らな面が形成されて当該人工歯根の植入れ面と平面的に貼り合わせ、当該植入れネジは当該植入れ穿孔に入って当該人工歯根の植入れネジ孔とロックして固定され、また当該植入れネジの頂端には下へ当該位置規制環部に押し付けるストッパ端がさらに形成され、当該充填物は当該入れ歯の咬合面から当該植入れ穿孔内に注入して充填且つ閉じ、当該入れ歯のロック構造を完成することを特徴とするオールジルコニウム一体型歯科インプラント入れ歯のロック構造。
【請求項２】
前記入れ歯は単歯冠であり、かつ1つの当該人工歯根に対応して植入れロックを行うことを特徴とする請求項１のオールジルコニウム一体型歯科インプラント入れ歯のロック構造。
【請求項３】
前記入れ歯は複数の歯冠ないし全顎の歯冠であり、かつ一体加工を経て成形配列され、かつ前記入れ歯は少なくとも2つの植入れ穿孔を有し、少なくとも2つの人工歯根に対応して植入れロックを行うことを特徴とする請求項１のオールジルコニウム一体型歯科インプラント入れ歯のロック構造。
【考案の詳細な説明】
【技術分野】
【０００１】
本考案は歯科インプラント入れ歯構造に関し、特に金属ピラーのないオールジルコニウム一体型歯科インプラント入れ歯のロック構造に関する。
【背景技術】
【０００２】
一般的に、インプラントの実施は患者の破損した歯を抜去するかあるいは直接に歯が脱落した所に、金属インプラントを植入して人工歯根とし、また前記インプラントに転写支台歯を設置し、その後シリコンなどの材料の転写型を取り、患者の噛み合いを提供して口内モデリングを行い、転写型で患者の欠歯区における歯列状態を獲得し、続いて石膏模型をひっくり返し、口腔模型を作製し、さらに前記口腔模型で一時的な歯科用スリーブを作製し、試着を経て修正または入れ歯の作製を行う。
従来の入れ歯構造について、図６、図７を合わせて参照すると、その伝統的な口内モデリングを行う時に、人工歯根上に転写支台歯を設置して、当該口腔模型で入れ歯５０を作る時に入れ歯５０の底部と相対して凹部５１を予め保留させて、当該凹部５１は更に当該入れ歯５０の咬合面を上へ貫通して植入れ穿孔５２が形成されて、当該凹部５１は接着剤５１１を利用して金属ピラー５３を粘着して、この金属ピラー５３を利用して口内植入の人工歯根５４と合わせて、更にボルト５５を用いて当該植入れ穿孔５２に入れて当該人工歯根５４とボルトで固定して、最後に充填物５６を利用して当該植入れ穿孔５２を埋めて、インプラントを完成する。しかしながら、前記口内モデリングにより構成された口腔模型は誤差が発生しやすく、金属ピラー５３と入れ歯５０の物性差異を加え、入れ歯５０の凹部５１は当該金属ピラーと正確に合わせることができず、さらに入れ歯５０と当該金属ピラー５３の粘着程度に影響し、さらに時間をかけて調整および粘着固定を行う必要がある。一方、伝統的に入れ歯５０は色を変えるあるいは磁器材質を加える必要がある時に、またオーブン内に入れてゆっくりと加熱・降温し、接着剤５１１を破壊崩壊させ、当該金属ピラー５３を取り出した後に再び入れ歯５０の色を変え、磁器材質を加える。前記色を変え、磁器材質を加える作業の後に再び粘着、研磨などのステップを行い、過程が複雑であり、効率が乏しいため、患者、医師と歯体技師にとってはすべて時間がかかる。さらに、当該入れ歯５０が金属ピラー５３と粘着、固定する時に、入れ歯５０と金属ピラー５３との色の相違により、入れ歯５０の底部と歯茎の間に入れ歯の色でない金属ピラー５３がはっきり見えるため、この入れ歯の設置の美観さを大幅に低下させる。
これを考慮して、本考案者は、この分野の製品の長年の製造開発、及び設計の経験を基に、上記の目標に対して、詳細な設計及び精密な評価をした上で、実用的な本考案を得た。
【考案の概要】
【考案が解決しようとする課題】
【０００３】
本考案が解決しようとする技術的な課題は、従来技術に存在する上述の欠点について解決し、オールジルコニウム一体型歯科インプラント入れ歯のロック構造を提供する。
【課題を解決するための手段】
【０００４】
前記歯科インプラント入れ歯のロック構造は、人工歯根、入れ歯、植入れネジおよび充填物を含み、当該人工歯根は予め口内の歯茎内に埋設され、かつ当該人工歯根の頂端は植入れ面および当該植入れ面の中央突起により植入れ部が形成され、当該植入れ面および当該植入れ部は歯茎の表面に露出し、かつ当該植入れ部の上表面から下へ植入れネジ孔を設置し、当該入れ歯は歯の色でオールジルコニウム材質の入れ歯材料が５軸加工機により一体成形加工され、さらに５軸加工機により自動的に当該入れ歯の咬合面および底面を貫通して植入れ穿孔が形成され、当該植入れ穿孔の内径は当該植入れ部の突起の高さに対応して位置規制環部を設置し、当該位置規制環部の下方に嵌合部が形成され当該植入れ部を嵌合被覆し、かつ当該位置規制環部で当該植入れ部の上表面を支え、当該入れ歯の底面に平らな面が形成されて当該人工歯根の植入れ面と平面的に貼り合わせ、当該植入れネジは当該植入れ穿孔に入れて当該人工歯根の植入れネジ孔とロックして固定し、また当該植入れネジの頂端はさらにストッパ端が形成されて下へ当該位置規制環部に押し付け、当該充填物は当該入れ歯の咬合面から当該植入れ穿孔内に注入して充填且つ閉じ、当該入れ歯構造を完成する。
好ましくは、前記入れ歯は単歯冠であり、かつ1つの当該人工歯根に対応して植入れロックを行う。
好ましくは、前記入れ歯は複数の歯冠ないし全顎の歯冠であり、かつ一体加工を経て成形配列され、かつ前記入れ歯は少なくとも2つの植入れ穿孔を有し、少なくとも2つの人工歯根に対応して植入れロックを行う。
従来技術の効果を比較する：本考案の入れ歯はオールジルコニウム一体式成形製造であり、当該入れ歯の内部に金属ピラーがない設計であり、従来の入れ歯が金属ピラーを粘着することに生じる誤差と不便を減少させ、同時に金属ピラーの使用コストを節約し、かつ当該入れ歯の表面の色を変えたいまたは磁器材質を加えたい際に、直接加工することができ、従来の入れ歯のように、オーブンによって接着剤を加温し接着剤を破壊崩壊してから金属ピラーを分離し、色を変え、磁器材質を加えてから金属支柱を粘着し、表面を研磨するステップを省き、入れ歯の製造効率を大幅に向上させ、かつ当該入れ歯は金属ピラーのないオールジルコニウム設計であり、同時に全体的な美観さも兼ね備えられる。
【図面の簡単な説明】
【０００５】
【図１】図１は、本考案のインプラント入れ歯のインプラント分解図である。
【図２】図２は、本考案のインプラント入れ歯の構造及びその植入れる模式図である。
【図３】図３は、本考案の入れ歯が人工歯根と植入れ固定された断面図である。
【図４】図４は、本考案の入れ歯が複数の整列方式で人工歯根に植入れた分解図である。
【図５】図５は、本考案の入れ歯が複数の整列方式で人工歯根に植入れた断面図である。
【図６】図６は、従来の入れ歯及びその植入れる模式図である。
【図７】図７は、従来の入れ歯及びその植入れる断面図である。
【考案を実施するための形態】
【０００６】
本考案の目的、特徴、及び効果を貴審査官によく理解及び認識させるために、以下は［図面の簡単な説明］の図面を実施例として例を挙げ、詳しく説明する。
まず、図１、図２、図３に示すように、オールジルコニウム一体型歯科インプラント入れ歯のロック構造であり、人工歯根１０、入れ歯２０、植入れネジ３０および充填物４０を含み、当該人工歯根１０は予め口内の歯茎Ａ内に埋設され、かつ当該人工歯根１０の頂端は植入れ面１１および当該植入れ面１１の中央突起により植入れ部１２が形成され、当該植入れ面１１および当該植入れ部１２は歯茎Ａの表面に露出し、かつ当該植入れ部１２の上表面から下へ植入れネジ孔１３を設置し、当該入れ歯２０は歯の色でオールジルコニウム材質の入れ歯材料が５軸加工機により一体成形加工され、さらに５軸加工機により自動的に当該入れ歯２０の咬合面および底面を貫通して植入れ穿孔２１が形成され、当該植入れ穿孔２１の内径は当該植入れ部１２の突起の高さに対応して位置規制環部２１１を設置し、当該位置規制環部２１１の下方に嵌合部２１２が形成され当該植入れ部１２を嵌合被覆し、かつ当該位置規制環部２１１で当該植入れ部１２の上表面を支え、当該入れ歯２０の底面に平らな面２２が形成されて当該人工歯根１０の植入れ面１１と平面的に貼り合わせ、当該植入れネジ３０は当該植入れ穿孔２１に入れて当該人工歯根１０の植入れネジ孔１３とロックして固定し、また当該植入れネジ３０の頂端はさらにストッパ端３１が形成されて下へ当該位置規制環部２１１に押し付け、当該充填物４０は当該入れ歯２０の咬合面から当該植入れ穿孔２１内に注入して充填且つ閉じ、当該入れ歯のロック組成構造を完成する。
更に説明すると、前記人工歯根１０の植入れ部１２は６角型凸柱或いは８角型凸柱である。
更に説明すると、前記入れ歯２０は単歯冠であり、かつ1つの当該人工歯根１０に対応して植入れロックを行い、さらに、前記入れ歯２０は複数の歯冠ないし全顎の歯冠であり、かつ一体加工を経て成形配列され、図４、図５に示すように、かつ前記入れ歯２０は少なくとも2つの植入れ穿孔２１を有し、少なくとも2つの人工歯根１０に対応して植入れロックを行う。
前記入れ歯２０の成型は、以下の流れを含む：人工歯根１０を植入した後の口腔スキャン、３Ｄセッティング、仮入れ歯の製作、一体型永久入れ歯を製作し、その中、口腔スキャンは光学スキャン機による口腔内スキャンを行い、口腔内の各歯の情況、歯の欠けた所または人工歯根１０が移植された部位を完全にスキャンし、ＣＡＤ／ＣＡＭソフトを用いて入れ歯模型のデジタルファイルを作成し、再び当該入れ歯模型のデジタルファイルで５軸加工機によって歯の色の樹脂材料を仮入れ歯に作製して試着し、試着の情況にしたがって当該入れ歯模型のデジタルファイルを修正または当該入れ歯２０の作製を行い、当該入れ歯２０を作製する時に、歯の色のオールジルコニウム材質の入れ歯材料を用い、５軸加工機と一緒に当該入れ歯材料を一体型成形加工し、当該入れ歯材料を金属ピラーなしの当該入れ歯２０に作製し、さらに５軸加工機によって該入れ歯２０の咬合面と歯冠底面を自動的に貫通して植入れ穿孔２１が形成され、最後に色の変更または磁器材質を加える作業を行い、当該入れ歯２０を完成できる。
前記具体的な実施例の構造により、以下の効果を得る：本考案の入れ歯２０はオールジルコニウム一体式成形製造であり、当該入れ歯２０の内部に金属ピラーがない設計であり、従来の入れ歯が金属ピラーを粘着することに生じる誤差と不便を減少させ、同時に金属ピラーの使用コストを節約し、かつ当該入れ歯２０の表面の色を変えたいまたは磁器材質を加えたい際に、直接加工することができ、従来の入れ歯のように、オーブンによって接着剤を加温し接着剤を破壊崩壊してから金属ピラーを分離し、色を変え、磁器材質を加えてから金属支柱を粘着し、表面を研磨するステップを省き、入れ歯の製造効率を大幅に向上させ、かつ当該入れ歯２０は金属ピラーのないオールジルコニウム設計であり、同時に全体的な美観さも兼ね備えられる。
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【０００７】
１０、５４  人工歯根
１１        植入れ面
１２        植入れ部
１３        植入れネジ孔
２０、５０  入れ歯
２１、５２  植入れ穿孔
２１１      位置規制環部
２１２      嵌合部
２２        平らな面
３０        植入れネジ
３１        ストッパ端
４０、５６  充填物
５１        凹部
５１１      接着剤
５３        金属ピラー
５５        ボルト
【図１】
0003234489.tif 000003
【図２】
0003234489.tif 000004
【図３】
0003234489.tif 000005
【図４】
0003234489.tif 000006
【図５】
0003234489.tif 000007
【図６】
0003234489.tif 000008
【図７】
0003234489.tif 000009